(57)【要約】【課題】  汚れを容易にふき取ることができ、液体が中綿にしみ込み難い炬燵用敷布団の提供。【解決手段】  表地、中綿及び裏地を備えてなる炬燵用敷布団であって、表地の３０乃至１００％（面積比）がポリマー・シートと織物、編物及び不織布からなる群から選択される一種以上との積層体であって外表面にポリマー・シートが配置されているものあるいはフッ素コーティング処理がなされた織物、編物及び不織布からなる群から選択される一種以上で構成されており、表地の７０〜０％（面積比）と裏地は、織物、編物及び不織布からなる群から選択される一種以上で構成されていることを特徴とする炬燵用敷布団を用いる。【選択図】  図３
2005111052.tif 000002
【特許請求の範囲】
【請求項１】
表地、中綿及び裏地を備えてなる炬燵用敷布団であって、表地の３０乃至１００％（面積比）がポリマー・シートと織物、編物及び不織布からなる群から選択される一種以上との積層体であって外表面にポリマー・シートが配置されているものあるいはフッ素コーティング処理がなされた織物、編物及び不織布からなる群から選択される一種以上で構成されており、表地の７０〜０％（面積比）と裏地は、織物、編物及び不織布からなる群から選択される一種以上で構成されていることを特徴とする炬燵用敷布団。
【請求項２】
表地に、織物、編物及び不織布からなる群から選択される一種以上で構成されている部分があり、その部分が炬燵用敷布団の中心部に位置する、請求項１に記載の炬燵用敷布団。
【請求項３】
ポリマー・シートが、塩化ビニール、ポリウレタン、ポリエステル、アクリル及びポリオレフィンからなる群から選択されるポリマーのシートである、請求項１又は２に記載の炬燵用敷布団。
【請求項４】
炬燵用敷布団が、中心部と外周部とを備えており、中心部の表地は、織物、編物及び不織布からなる群から選択される一種以上で構成されており、外周部の表地は、ポリマー・シートと織物、編物及び不織布からなる群から選択される一種以上との積層体であって外表面にポリマー・シートが配置されているものあるいはフッ素コーティング処理がなされた織物、編物及び不織布からなる群から選択される一種以上で構成されており、中心部を外周部に着脱することができる、請求項２又は３に記載の炬燵用敷布団。
【請求項５】
中心部が、一辺の長さが６０ｃｍ乃至１５０ｃｍの長方形又は正方形である、請求項２乃至４のいずれか１項に記載の炬燵用敷布団。
【請求項６】
着脱のための手段が、ファスナー、面ファスナー、スナップ、ヒモ、又はボタンである、請求項４又は５に記載の炬燵用敷布団。
【発明の詳細な説明】
【技術分野】
【０００１】
本発明は、炬燵用敷布団に関する。
【背景技術】
【０００２】
炬燵は、我が国独自の生活文化に根付いた家具であるため、従来より、表面には布地を使用した炬燵用布団が使用されてきた。しかし、布地は汚れが取れ難い上、液体をこぼした場合には、中綿にしみ込んでしまう。そこで、子供のいる家庭等においては、炬燵用掛布団の上には、さらにビニール製の炬燵上掛けを掛けている。一方、炬燵用敷布団に関しては、布団カバーが使用されることもなく、汚れ対策はなされていないのが現状である。そして、一般に炬燵用敷布団は大きいので、その洗濯は容易ではない。
【０００３】
この点に着目して、特許文献１には、洗濯が容易な、小さく切り離すことができる炬燵布団が開示されている。特許文献１に開示の炬燵布団は、スライドファスナーや面ファスナーにより、炬燵布団の一部同士を繋いだり切り離したりすることができるものである。
【０００４】
また、特許文献２には、炬燵布団ではなく電気カーペットであるが、中心部と外周部とを備えており、中心部を外周部に着脱することができるものが開示されている。
【０００５】
【特許文献１】実開平５−７３４０６号公報
【特許文献２】実開平７−４３５１４号公報
【発明の開示】
【発明が解決しようとする課題】
【０００６】
本発明の目的は、汚れを容易にふき取ることができ、液体が中綿にしみ込み難い炬燵用敷布団を提供することにある。
【０００７】
本発明の他の目的は、炬燵用敷布団において、中心部と外周部とを分離でき、中心部だけを洗濯することができる炬燵用敷布団を提供することにある。
【課題を解決するための手段】
【０００８】
本発明者らは、上記目的を達成すべく鋭意検討し、本発明を完成させた。
【０００９】
即ち、本発明は、表地、中綿及び裏地を備えてなる炬燵用敷布団であって、表地の３０乃至１００％（面積比）がポリマー・シートと織物、編物及び不織布からなる群から選択される一種以上との積層体であって外表面にポリマー・シートが配置されているものあるいはフッ素コーティング処理がなされた織物、編物及び不織布からなる群から選択される一種以上で構成されており、表地の７０〜０％（面積比）と裏地は、織物、編物及び不織布からなる群から選択される一種以上で構成されていることを特徴とする炬燵用敷布団に関する。
【００１０】
「中綿」とは、炬燵用敷布団の中に詰められた詰め物をいい、その材料等は、特に限定されない。中綿は、例えば、天然綿（木綿わた）、合繊綿、スポンジ、パンヤである。
【００１１】
「積層体」とは、シート状のものが二枚以上積み重ねられて接着されているものをいう。本発明における「積層体」は、ポリマー・シート層が一層以上と、織物、編物及び不織布からなる群から選択される一種以上の層が一層以上あり、少なくとも一方の最外層がポリマー・シート層であるものであればよい。本発明では、積層体は、ポリマー・シートの層のある側が、炬燵用敷布団の外表面となるように配置されて使用される。
【００１２】
表地に、織物、編物及び不織布からなる群から選択される一種以上で構成されている部分があり、その部分が炬燵用敷布団の中心部に位置することが好ましい。
【００１３】
ポリマー・シートは、塩化ビニール、ポリウレタン、ポリエステル、アクリル及びポリプロピレンからなる群から選択されるポリマーのシートであることが好ましい。塩化ビニール、ポリウレタン、ポリエステル及びポリオレフィン（例えばポリプロピレン）からなる群から選択される材料で作製された銀面調の合成皮革であることが、さらに好ましい。
【００１４】
炬燵用敷布団が、中心部と外周部とを備えており、中心部の表地は、織物、編物及び不織布からなる群から選択される一種以上で構成されており、外周部の表地は、ポリマー・シートと織物、編物及び不織布からなる群から選択される一種以上との積層体であって外表面にポリマー・シートが配置されているものあるいはフッ素コーティング処理がなされた織物、編物及び不織布からなる群から選択される一種以上で構成されており、中心部を外周部に着脱することができるものであることが好ましい。
【００１５】
中心部が、一辺の長さが６０ｃｍ乃至１５０ｃｍの長方形又は正方形であることが好ましい。
【００１６】
中心部を外周部に着脱するための手段が、ファスナー、面ファスナー、スナップ、ヒモ、又はボタンであるのがよい。
【発明の効果】
【００１７】
本発明により、汚れを容易に拭き取ることができ、液体が中綿にしみ込み難い炬燵用敷布団が提供される。
【００１８】
中心部を外周部に着脱することができる本発明の炬燵用敷布団の場合には、足汚れが付着し易い中心部だけを取り外して容易に洗濯をすることができるため、清潔性を保持できる。
【００１９】
表地の中心部が織物、編物及び不織布からなる群から選択される一種以上で構成されている本発明の炬燵用敷布団及び中心部を外周部に着脱することができる本発明の炬燵用敷布団の場合には、中心部は、表地、裏地共に、織物、編物及び不織布からなる群から選択される一種以上で構成されており、ポリマー・シートが使用されていないため、通気性に優れ、よって温度が高くなっても湿ることがない。また、中心部の上部に配置される炬燵のヒーターの熱によるポリマー・シートの劣化が生じない。
【発明を実施するための最良の形態】
【００２０】
以下に、図面を参照して、本発明を具体的に説明する。
【００２１】
図１は、本発明の炬燵用敷布団の一例を示す部分断面図である。炬燵用敷布団１００は、表地１０、中綿３０及び裏地５０を備えてなる。
【００２２】
表地１０は、すべて（面積比で１００％）が、外表面側から順にポリウレタン製合成皮革１、塩化ビニール製合成皮革２及びガーゼ織物３の積層体であり、中綿３０は、ポリエステル綿、裏地５０は、綿とポリエステルとの混紡糸製布地である。
【００２３】
ここで、ポリウレタン製合成皮革１の厚さは８μｍ、塩化ビニール製合成皮革２の厚さは２μｍであり、ガーゼ織物３は、タテ糸、ヨコ糸がいずれも３０番手の木綿糸であり、織込み密度は４０本×３０本／インチであるものである。また、ポリウレタン製合成皮革１、塩化ビニール製合成皮革２及びガーゼ織物３は、公知の接着剤によって接着されて積層体となっている。
【００２４】
炬燵用敷布団１００は、表地１０と裏地５０を縫製して袋状にし、その中に中綿を詰めたものである。なお、キルティング加工がなされていてもよい。
【００２５】
図２は、本発明の炬燵用敷布団の他の例を示す平面模式図である。炬燵用敷布団２００では、表地１０が、羊毛製の布地からなる中心部１２と、熱可塑性ポリオレフィン・エラストマー製の合成皮革（外表面側）と不織布（内表面側）とが接着されてなる積層体製の外周部１８とが、縫製によって接合されている。中心部１２の面積比は約２０％であり、外周部１８の面積比は約８０％である。
【００２６】
中綿には木綿わたを、裏地に羊毛製の布地を用いている。裏地は、中心部と外周部とに分かれておらず、一枚の布製である。
【００２７】
図３は、中心部を外周部に着脱できるタイプの本発明の炬燵用敷布団の一例を示す平面模式図である。炬燵用敷布団３００は、中心部１４と外周部１６とに分かれる。
【００２８】
中心部１４は、表地、中綿及び裏地を備えてなり、さらに、その外周四辺には、ファスナー２１が縫着されている。また、外周部１６は、表地、中綿及び裏地を備えてなり、さらに、その内部空間ｐに対向する四辺には、ファスナーが縫着されている。４組のファスナーにより、中心部１４を外周部１６に着脱させる。
【００２９】
中心部１４の表地には木綿の編物、中綿にはポリエステルわた、裏地には木綿とポリエステルとの混紡糸製布地を用いている。外周部１６の表地は、塩化ビニール製の合成皮革（外表面側）と不織布（内表面側）とが接着されてなる積層体、中綿はポリエステルわた、裏地は木綿とポリエステルとの混紡糸製布地である。
【００３０】
図４は、中心部を外周部に着脱できるタイプの本発明の炬燵用敷布団の他の例を示す平面模式図である。炬燵用敷布団４００は、中心部１４と外周部１６とに分かれる。
【００３１】
中心部１４は、中央正方形部分ａと、中央正方形部分ａの四辺の各々を平行に外側に延長して形成された四つの側部ｂからなる。裏地の四つの側部ｂには、それぞれ面ファスナー２３が縫着されている。また、外周部１６の、内部空間ｐに対向する四辺の際にも、それぞれ面ファスナー２３が縫着されている。４組の面ファスナーにより、中心部１４を外周部１６に着脱させる。
【００３２】
中心部１４の表地は、綿ブロード、中綿はポリエステルわた、裏地は綿ブロードである。外周部１６の表地は、水性ポリウレタン樹脂製の合成皮革（外表面側）と塩化ビニール製の合成皮革（中心）と木綿製ガーゼ織物（内表面側）とが接着されてなる積層体、中綿はポリエステルわた、裏地は綿ブロードである。
【００３３】
図５は、中心部を外周部に着脱できるタイプの本発明の炬燵用敷布団のさらに他の例を示す平面模式図である。炬燵用敷布団５００は、中心部１４と外周部１６とに分かれる。
【００３４】
中心部１４は、正方形であり、その四辺の際には、ボタン穴２５が空けられている。また、外周部１６の、内部空間ｐに対向する四辺の際には、前記ボタン穴２５に対応する位置に、ボタン２７が縫着されている。ボタン穴２５にボタン２７をかけたり外すことにより、中心部１４を外周部１６に着脱させる。
【００３５】
中心部１４の表地にはポリエステル系混紡糸製布地が、中綿にはポリエステルわたが、裏地にはポリエステル系混紡糸製布地が用いられている。外周部１６の表地は、フッ素コーティング処理された綿織物、中綿はポリエステルわた、裏地はポリエステル系混紡糸製布地である。
【００３６】
本発明の炬燵用敷布団において、「表地」とは、炬燵用敷布団の人が座る面を、「裏地」とは、畳や床に対向する面をいう。「中綿」とは、表地と裏地の間にある詰め物のことである。中綿の材質は、この分野で通常使用されているものであればよく、綿に限定されない。中綿の材質の例として、天然綿（木綿わた）、各種合繊綿、スポンジ、パンヤが挙げられる。
【００３７】
表地は、面積比でその３０乃至１００％が、ポリマー・シートと織物、編物及び不織布からなる群から選択される一種以上との積層体であって外表面にポリマー・シートが配置されているものあるいフッ素コーティング処理がなされた織物、編物及び不織布からなる群から選択される一種以上でできている。
【００３８】
「ポリマー・シート」とは、合成、半合成、天然に関わらず、ポリマー（重合体又は樹脂）で製造されているシート状のものをいう。
【００３９】
「ポリマー・シート」の例として、合成皮革（「人工皮革」を包含する）が挙げられる。合成皮革の材料として、例えば、塩化ビニール、ポリウレタン、ポリエステル、アクリル及びポリオレフィン（例えばポリプロピレン）が知られている。
【００４０】
合成皮革には、銀面調のもの、スエード調ののもの、ヌバック調のもの、ベロア調のもの等が知られている。本発明においては、いずれも使用可能であるが、汚れを水拭きによって容易に除去できるという観点から、塩化ビニール、ポリウレタン、ポリエステル及びポリオレフィン（例えばポリプロピレン）からなる群から選択される材料で作製された銀面調の合成皮革が好ましい。
【００４１】
本発明の積層体において、ポリマー・シートの総厚（一層のみの場合はその厚さ、二層以上が積層されている場合にはその合計）は、５乃至１５μｍであることが好ましく、６乃至１０μｍであることがさらに好ましい。
【００４２】
積層体の各層を構成する材料を接着するための接着剤には、公知の接着剤が、ポリマー・シートや織物等の材質に応じて選択されて使用される。
【００４３】
本発明の積層体において、織物、編物及び不織布からなる群から選択される一種以上は、基材として用いられる。織物、編物、不織布の材質等は、特に限定されない。寝具用に用いられているものであれば、いずれでもよい。なお、これらの中のいずれが用いられる場合も、薄手のものでよく、ポリマー・シートの基布としての強度を備えていればよい。
【００４４】
本発明では、前記積層体の代りに、フッ素コーティング処理がなされた織物、編物又は不織布を用いてもよい。フッ素コート層は、透湿性はあるが、水分は通さないという性質を有する。フッ素コーティング処理は、公知の方法によって行うことができる。また、フッ素コーティング処理がなされた織物、編物、不織布は、市販品を用いてもよい。
【００４５】
本発明の炬燵用敷布団は、表地の３０乃至１００％（面積比）が、ポリマー・シートと織物、編物及び不織布からなる群から選択される一種以上との積層体であって外表面にポリマー・シートが配置されているものあるいフッ素コーティング処理がなされた織物、編物及び不織布からなる群から選択される一種以上で構成されている。これら積層体等が占める面積の比率は、表地の好ましくは４０乃至９０％、さらに好ましくは５０乃至８０％である。これら積層体等が占める面積の比率が小さすぎると、容易に汚れを除去できる部分が小さすぎることになる。
【００４６】
表地の残部（面積比で７０〜０％）と裏地は、織物（いわゆる布）、編物及び不織布からなる群から選択される一種以上で構成されている。これらの材質等は、特に限定されない。寝具用に用いられているものであれば、いずれでもよい。表地の残部と裏地に使用される織物、編物及び不織布の材質の例として、綿、羊毛、絹、麻等の天然繊維、ポリエステル、ポリプロピレン、アクリル、レーヨン等の合成又は再生繊維が挙げられる。
【００４７】
中心部を外周部に着脱できるタイプの本発明の炬燵用敷布団において、着脱のための手段は特に限定されないが、例を挙げると、ファスナー、面ファスナー、スナップ、ヒモ、又はボタンの利用がある。
【００４８】
ファスナーを利用する場合、ファスナーは、１組のみでも、２組でも、各辺に対応して４組を使用してもよい。また、特に４組のファスナーを使用する場合、ファスナーの端部より外側に、中心部と外周部とが係合しない、ファスナーの幅と略同一の幅の空間があってもよい。
【００４９】
面ファスナーとは、マジックテープ、フリーマジック、マジロック、モールドインファスナー、マジックハード、マルチロック（いずれもクラレ株式会社の登録商標）等の、ループやフックが係合してくっつくタイプのファスナーをいう。
【００５０】
表地が中心部と外周部とを備えている本発明の炬燵用敷布団及び中心部を外周部に着脱することができる本発明の炬燵用敷布団において、中心部の形状及び大きさは、特に限定されないが、炬燵の櫓部分と略同一の形状及び大きさであることが好ましい。この部分は、炬燵の中でもっとも高温となる部分であるから、通気性に優れる材料で作製されることが望まれるからである。また、この部分に食べこぼし等をすることは少ないと考えられるので、この部分の表面は、汚れを容易に拭き取ることができるポリマー・シート製あるいはフッ素コーティング処理がなされた織物、編物又は不織布製でなくてもよいからである。
【００５１】
中心部の形状の例として、長方形及び正方形が、また、その大きさの例として、一辺の長さで表して６０ｃｍ乃至１５０ｃｍ（より好ましくは７０ｃｍ乃至１００ｃｍ）が挙げられる。
【００５２】
なお、本発明の炬燵用敷布団は、その形状や大きさが限定されるものではない。その形状及び大きさは、使用する炬燵に対応する。形状の例としては、正方形、長方形、円形、楕円形が挙げられる。
【図面の簡単な説明】
【００５３】
【図１】本発明の炬燵用敷布団の一例を示す部分断面図である。
【図２】本発明の炬燵用敷布団の他の例を示す平面模式図である。
【図３】本発明の炬燵用敷布団において、ファスナーによって中心部を外周部に着脱できるものの例を示す平面模式図である。
【図４】本発明の炬燵用敷布団において、面ファスナーによって中心部を外周部に着脱できるものの例を示す平面模式図である。
【図５】本発明の炬燵用敷布団において、ボタンによって中心部を外周部に着脱できるものの例を示す平面模式図である。
【符号の説明】
【００５４】
１０  表地
１２  （表地の）中心部
１４  中心部
１６  外周部
１８  （表地の）外周部
２１  ファスナー
２３  面ファスナー
２５  ボタン穴
２７  ボタン
３０  中綿
５０  裏地
１００，２００，３００，４００，５００  炬燵用敷布団
【図１】
2005111052.tif 000003
【図２】
2005111052.tif 000004
【図３】
2005111052.tif 000005
【図４】
2005111052.tif 000006
【図５】
2005111052.tif 000007